(57)【特許請求の範囲】
【請求項１】
破断可能な封止フィルムで封止された包装容器の注出孔の周縁部上面に熱融着して突設されるスパウトとキャップからなる注出口栓であって、前記キャップには、周壁内周面に螺合部を設け、外周面に案内傾斜面を形成した案内用筒部を天板下面の中央位置に垂設し、注出筒をフランジに立設する前記スパウトには、前記注出筒の外周面に前記キャップとの螺合部を設け、内周面に下端に係止突起をもつ複数の縦溝を設け、この注出筒に、外周面に前記スパウトの縦溝を摺動する複数の摺動突起をもち、内周面に係止突起をもつ複数の縦溝を設けた保護用筒体を摺動可能に挿着し、この保護用筒体に、外周面に前記保護用筒体の縦溝を摺動する複数の摺動突起をもち、内周面に前記キャップとの案内傾斜面を形成し、下端に開封刃を形成する開封用筒体を摺動可能に挿着し、キャップを取り外したときに、容器内に突出する前記保護用筒体が、下端の開封刃で封止フィルムを破断して容器内へ突出する開封用筒体を内側に収容すること特徴とする開封刃を内蔵する注出口栓。
【請求項２】
包装容器の口栓取付孔の周縁部下面に熱融着して突設されるスパウトとキャップからなる注出口栓であって、前記キャップには、周壁内周面に螺合部を設け、外周面に案内傾斜面を形成した案内用筒部を天板下面の中央位置に垂設し、注出筒をフランジに立設する前記スパウトには、前記注出筒の外周面に前記キャップとの螺合部を設け、内周面に下端に係止突起をもつ複数の縦溝を設け、前記フランジの下面に封止フィルムを熱融着し、前記注出筒に、外周面に前記スパウトの縦溝を摺動する複数の摺動突起をもち、内周面に係止突起をもつ複数の縦溝を設けた保護用筒体を摺動可能に挿着し、この保護用筒体に、外周面に前記保護用筒体の縦溝を摺動する複数の摺動突起をもち、内周面に前記キャップとの案内傾斜面を形成し、下端に開封刃を形成する開封用筒体を摺動可能に挿着し、キャップを取り外したときに、容器内に突出する前記保護用筒体が、下端の開封刃で封止フィルムを破断して容器内へ突出する開封用筒体を内側に収容すること特徴とする開封刃を内蔵する注出口栓。
【発明の詳細な説明】
【０００１】
【発明の属する技術分野】
本発明は、清酒、果汁飲料、調味料、油類や液体洗剤などに使用される液体用紙容器の頂部や口栓を有する三方シール袋、四方シール袋、ガゼット袋やスタンディングパウチ等の側面に突設される開封刃を内蔵する注出口栓に関するものである。
なお、本発明においては、液体用紙容器や三方シール袋、四方シール袋、ガゼット袋、スタンディングパウチ等を総称して包装容器と呼ぶこととする。
【０００２】
【従来の技術】
従来、液体用紙容器である包装容器（２０）は、例えば図７（ｂ）に示すように、四角形状の胴部をもち、その切妻屋根形の頂部傾斜板（２１）には、注出のし易さから注出口栓（１０）が突設されたものが広く使用されていた。この注出口栓は、スパウト（１００）（注出口具）にキャップ（２００）を螺合して冠着したものであり、注出口栓に開封刃を内蔵するものとしては、例えば実公平５−３５０５８号公報で開示されたものがある。この開封刃を内蔵する注出口栓は、破断可能なフィルムで封止した液体用紙容器の注出孔に取着されこの注出孔に対応した円筒部を備える注出口具と、この注出口具の円筒部に挿入され下縁に刃部を備える略筒状の開封刃と、円筒部を覆うようにして取着されたキャップとからなり、円筒部の内面とこれに相対する開封刃の外面との両者は、互いに摺接して上下方向に移動可能な回転防止手段を備えて、開封刃が円筒部に対して上下移動可能に設けられ、開封刃は、開封刃の筒壁部に上縁から下縁側に向けて傾斜して上方に面する斜面を備え、キャップは、下方に面して開封刃の斜面に摺接する案内斜面を備える筒体を有して、キャップの回転時に開封刃を下降可能に設けたものであり、内容物を注出時に、図７（ｂ）に示すように、キャップ（２００）を回転させて取り外すときに、キャップの回転により開封用筒体（１４０）を降下させ先端の開封刃（１４３）で封止するフィルム（３０）を破断して容器を開封するものであった。
また、袋に注出口栓を設けたものとして、実開昭５２−１２３４１８号公報、実公昭５９−４９３７号公報、実開昭６２−１１５３５６号公報に記載された考案がある。
【０００３】
【発明が解決しようとする課題】
ところで、最近、環境保全や省資源の立場から、使用済みの容器包装を分別回収して、再商品化することが求められるようになってきた。しかしながら、上述の従来の開封刃を内蔵する注出口栓を取り付けた包装容器（２０）は、図７（ｂ）に示すように、注出口栓（１０）の開封刃（１４３）が容器の内側に突出しているために、容器を解体して分別回収するときに、手などに怪我をし易いことがあった。
また、前述のような開封刄を袋に設けた注出口栓に通用した場合、突き出た開封刄が対面する袋を構成するフィルムに当たり、フィルムが破れ内容物がこの破れた部分から漏れるといった問題があった。
【０００４】
本発明は、上述の従来の開封刃を内蔵する注出口栓の問題を解決したものであり、使用済みの液体用紙容器を解体して分別回収するときに、注出口栓の開封刃で手などに怪我をする危惧がなく、袋の場合、フィルムを破る恐れがなく、また、使用時に注出状態が良好な開封刃を内蔵する注出口栓を提供するものである。
【０００５】
【課題を解決するための手段】
すなわち、本発明の第１の発明は、図１に示すように、破断可能な封止フィルムで封止された包装容器の注出孔の周縁部上面に熱融着して突設されるスパウト（１００）とキャップ（２００）からなる注出口栓であって、前記キャップ（２００）には、周壁（２２０）内周面に螺合部（２２１）を設け、外周面に案内傾斜面（２３１）を形成した案内用筒部（２３０）を天板（２１０）下面の中央位置に垂設し、注出筒（１１０）をフランジ（１２０）に立設する前記スパウト（１００）には、前記注出筒の外周面に前記キャップとの螺合部（１１１）を設け、内周面に下端に係止突起（１１３）をもつ複数の縦溝（１１２）を設け、この注出筒に、外周面に前記スパウトの縦溝（１１２）を摺動する複数の摺動突起（１３１）をもち、内周面に係止突起（１３３）をもつ複数の縦溝（１３２）を設けた保護用筒体（１３０）を摺動可能に挿着し、この保護用筒体に、外周面に前記保護用筒体の縦溝（１３２）を摺動する複数の摺動突起（１４１）をもち、内周面に前記キャップとの案内傾斜面（１４２）を形成し、下端に開封刃（１４３）を形成する開封用筒体（１４０）を摺動可能に挿着し、キャップを取り外したときに、容器内に突出する前記保護用筒体（１３０）が、下端の開封刃で封止フィルムを破断して容器内へ突出する前記開封用筒体（１４０）を内側に収容すること特徴とする開封刃を内蔵する注出口栓（１０）である。
【０００６】
そして、本発明の第２の発明は、図２に示すように、包装容器の口栓取付孔の周縁部下面に熱融着して突設されるスパウト（１００）とキャップ（２００）からなる注出口栓であって、前記キャップ（２００）には、周壁（２２０）内周面に螺合部（２２１）を設け、外周面に案内傾斜面（２３１）を形成した案内用筒部（２３０）を天板（２１０）下面の中央位置に垂設し、注出筒（１１０）をフランジ（１２０）に立設する前記スパウト（１００）には、前記注出筒の外周面に前記キャップとの螺合部（１１１）を設け、内周面に下端に係止突起（１１３）をもつ複数の縦溝（１１２）を設け、前記フランジ（１２０）の下面に封止フィルム（３０）を熱融着し、前記注出筒に、外周面に前記スパウトの縦溝（１１２）を摺動する複数の摺動突起（１３１）をもち、内周面に係止突起（１３３）をもつ複数の縦溝（１３２）を設けた保護用筒体（１３０）を摺動可能に挿着し、この保護用筒体に、外周面に前記保護用筒体の縦溝（１３２）を摺動する複数の摺動突起（１４１）をもち、内周面に前記キャップとの案内傾斜面（１４２）を形成し、下端に開封刃（１４３）を形成する開封用筒体（１４０）を摺動可能に挿着し、キャップを取り外したときに、容器内に突出する前記保護用筒体（１３０）が、下端の開封刃で封止フィルムを破断して容器内へ突出する前記開封用筒体（１４０）を内側に収容すること特徴とする開封刃を内蔵する注出口栓（１０）である。
【０００７】
【発明の実施の形態】
本発明の開封刃を内蔵する注出口栓は、図６（ａ）に示すように、包装容器（２０）の内側から封止フィルム（３０）で封止された例えば頂部傾斜板（２１）の注出孔（２２）の周縁部上面に、スパウト（１００）のフランジ（１２０）の下面を超音波シール法などにより熱融着して突設するか、または、図７（ｂ）に示すように、スパウト（１００）のフランジ（１２０）の下面に封止フィルム（３０）を超音波シール法やインサート射出成形法などにより熱融着して注出孔を封止した本発明の注出口栓を、包装容器（２０）の口栓取付孔（２３）に注出筒を挿入し、フランジ（１２０）の上面を容器の口栓取付孔の周縁部下面に熱融着して突設するものである。
【０００８】
そして、本発明の注出口栓（１０）の構成部材は、図１に示すように、キャップ（２００）とスパウト（１００）と保護用筒体（１３０）と開封用筒体（１４０）とからなる。次に、これら構成部材の構造を詳細に説明する。
【０００９】
まず、キャップ（２００）は、図５（ａ）及び（ｂ）に示すように、天板（２１０）と周壁（２２０）からなり、周壁の内周面には、スパウトとの螺合部（２２１）を設け、天板（２１０）下面の中央位置には、外周面に保護用筒体との図５（ｃ）の外側から見た展開図に示す案内傾斜面（２３１）を設けた案内用筒部（２３０）を垂設したものである。
【００１０】
次に、スパウト（１００）は、図１及び図２に示すように、フランジ（１２０）の内周縁部に注出筒（１１０）を立設したものであり、その注出筒（１１０）の外周面にキャップとの螺合部（１１１）を設け、内周面には、係止突起（１１３）をもつ通常８本からなる複数の縦溝（１１２）を設けたものである。
【００１１】
次に、保護用筒体は、図１及び図２に示すように、スパウトの縦溝（１１２）を摺動する通常８個の複数の摺動突起（１３１）を外周面上方に設け、内周面には係止突起（１３３）をもつ通常８本の複数の縦溝（１３２）を設けたものである。
【００１２】
次に、開封用筒体は、図４（ａ）及び（ｂ）に示すように、外周面に保護用筒体の縦溝を摺動する通常４個の複数の摺動突起（１４１）をもち、内周面にキャップとの図４（ｃ）の内側から見た展開図に示す案内傾斜面（１４２）を形成し、下端に開封刃（１４３）を形成するものである。そして、この開封刃は、通常、複数の三角刃を並べたものであるが、封止フィルムの破断片が落下することを防ぐために、任意の箇所に欠刃部を設けるものである。
【００１３】
上述した構成部材のキャップ、スパウト、保護用筒体及び開封用筒体は、ポリエチレン、ポリプロピレンなどの熱可塑性樹脂を用いて射出成形法で作製するものであり、図１又は図２示すように、スパウト（１００）に保護用筒体（１３０）と開封用筒体（１４０）を挿着し、キャップ（２００）を螺合して装着して本発明の開封刃を内蔵する注出口栓を作製する。なお、封止フィルムは、開封刃で破断可能な積層フィルムで、例えばアルミニウム箔の表裏にポリオレフィン層を形成したものである。
【００１４】
そして、本発明の開封刃を内蔵する注出口栓を頂部に突設した包装容器は、キャップを取り外すためにキャップを回転して上昇させると、キャップの天板から垂設する案内用筒部の外周面の案内傾斜面が、開封用筒体の内周面の案内傾斜面と摺接して、開封用筒体がキャップの回転方向と逆回転方向の力を受けるが、開封用筒体の外周面の摺動突起が外側の保護用筒体の内周面の縦溝と摺接しているため、縦溝に沿って開封用筒体が下降して、下端の開封刃で包装容器を封止している封止フィルムを破断して容器を開封する。また、下降する開封用筒体に連動して、保護用筒体も、外周面の摺動突起をスパウトの注出筒の内周面の縦溝に摺接させて、縦溝に沿って下降する。そして、キャップを取り外したときには、図３に示すように、保護用筒体（１３０）は、開封用筒体（１４０）を内側に収容して、外周面の摺動突起（１３１）をスパウトの内周面の縦溝の下端の係止突起（１１３）に当接させて固着するように設計するものである。
【００１５】
そして、図７（ａ）に示すように、本発明の開封刃を内蔵する注出口栓（１０）を頂部傾斜板（２１）に突設した包装容器（２０）は、キャップ（２００）を取り外して容器を一旦開封すると、容器内へ開封用筒体（１４０）と保護用筒体（１３０）とが突出するが、開封刃（１４３）をもつ開封用筒体（１４０）が保護用筒体（１３０）の内側に収容されているため、使用後の容器を解体して分別回収するときに、手などを開封刃（１４３）で怪我することがない。また、封止フィルム（３０）の開封刃で破断された破断片（３１）が、保護用筒体の外周面に妨げられて、注出口栓の内側の注出孔を塞ぐことがないので、使用中の内容物（４０）の注出状態が良好である。
【００１６】
【発明の効果】
本発明の開封刃を内蔵する注出口栓を取り付けた包装容器は、使用後の分別回収のために容器を解体しても、開封用筒体の開封刃が保護用筒体で保護させているため、従来の開封刃を内蔵する注出口栓のように容器の内側に突出する開封刃で手などを怪我する危惧がない。
また、袋に設けたとしても、開封用筒体の開封刄が保護用筒体で保護されているため、対面のフィルムを傷つけることがない。
【００１７】
さらに、開封刃で破断された破断片が、注出孔を塞いで内容物の注出を妨げることがなく、使用時の内容物の注出状態が良好である。
【図面の簡単な説明】
【図１】本発明の一実施例の開封刃を内蔵する注出口栓の構造を示す説明図である。
【図２】本発明の他の一実施例の開封刃を内蔵する注出口栓の構造を示す説明図である。
【図３】包装容器に取り付けた図１に示す実施例の注出口栓のキャップを取り外したときの状態を示す説明図である。
【図４】（ａ）は、開封用筒体の一実施例の平面図であり、（ｂ）は、断面図であり、（ｃ）は、その内側から見た展開図である。
【図５】（ａ）は、キャップの一実施例の底面図であり、（ｂ）は、一部を切欠いた部分断面図であり、（ｃ）は、その開封用筒体の外側から見た展開図である。
【図６】（ａ）は、スパウトを包装容器の注出孔に外付けした状態を示す説明図であり、（ｂ）は、内付けした状態を示す説明図である。
【図７】（ａ）は、図１に示す実施例の注出口栓を取り付けた包装容器を開封したときの状態を示す説明図であり、（ｂ）は、従来の一例の開封刃を内蔵する注出口栓を取り付けた包装容器を開封したときの状態を示す説明図である。
【符号の説明】
１０……注出口栓
２０……包装容器
２１……頂部傾斜板
２２……注出孔
２３……口栓取付孔
３０……封止フィルム
３１……破断片
４０……内容物
１００……スパウト
１１０……注出筒
１１１，２２１……螺合部
１１２，１３２……縦溝
１１３，１３３……係止突起
１２０……フランジ
１３０……保護用筒体
１３１，１４１……摺動突起
１４０……開封用筒体
１４２，２３１……案内傾斜面
１４３……開封刃
２００……キャップ
２１０……天板
２２０……周壁
２３０……案内用筒部
【図１】
0004132120.tif 000002
【図２】
0004132120.tif 000003
【図３】
0004132120.tif 000004
【図４】
0004132120.tif 000005
【図５】
0004132120.tif 000006
【図６】
0004132120.tif 000007
【図７】
0004132120.tif 000008